(57)【要約】【課題】  飲料とバネ（付勢手段）とが接触せず、バネの交換や点検も抽出栓の全体をサーバから取り外す必要なく、かつ、タンクを空にする必要なく行うことのできる飲料サーバ用の抽出栓を提供する。【解決手段】  弁棒の進退移動方向と同方向であって、前記抽出ノズルよりも前記抽出栓本体の先端側に形成された付勢手段の収容室と、この収容室の一端に取り付けられた付勢手段の支持部材と、前記弁棒に設けられ、前記飲料が前記収容室に漏出しないように封止するシール部材と、前記収容室に嵌装され、前記レバーを第一の閉動方向に付勢する第一の付勢手段と、前記支持部材に嵌装され、前記レバーを第二の閉動方向に付勢する第二の付勢手段とを有する。【選択図】  図１
2013189206.tif 000002
【特許請求の範囲】
【請求項１】
飲料流路が形成された抽出栓本体と、この抽出栓本体に傾動自在に設けられたレバーと、このレバーの傾動操作によって進退移動して飲料流路の開閉を行う弁体と、前記飲料流路を流れる前記飲料を抽出する抽出ノズルとを有する飲料サーバ用の抽出栓において、
前記弁体とともに前記抽出栓本体内で進退移動するとともに、前記レバーと係合して前記レバーの傾動操作によって進退移動する弁棒と、
この弁棒の内部の前記レバーと前記弁棒との間に設けられ、前記レバーに付勢力を付与する第一の付勢手段と、
前記ノズルよりも前記本体の一端側に設けられ、前記弁棒を前記第一の付勢手段と逆向きに付勢する第二の付勢手段と、
を有することを特徴とする飲料サーバ用の抽出栓。
【請求項２】
前記弁棒の内部に前記付勢手段の収容部を形成し、この収容部で前記レバーの先端と前記弁棒が係合するとともに、前記収容部の内部で前記付勢手段が前記弁棒から前記レバーに付勢力を付与するように構成したことを特徴とする請求項１に記載の飲料サーバ用の抽出栓。
【請求項３】
前記第二の付勢手段は前記本体の外側に配置され、前記第二の付勢手段を支持する支持部材が前記弁棒の一端に取り付けられて、前記弁棒とともに進退移動することを特徴とする請求項１又は２に記載の飲料サーバ用の抽出栓。
【請求項４】
前記弁棒と前記抽出栓本体の内周面との間に設けられ第一の飲料を流す第一の飲料流路と、前記弁棒に貫通形成され第二の飲料を流す第二の飲料流路と、前記弁棒の先端に設けられ前記第一の飲料流路の開閉を行う第一の弁体と、前記弁棒の内部に設けられ前記第二の飲料流路の開閉を行う第二の弁体とを有し、前記レバーを第一の方向に傾動させることで前記第一の付勢手段の付勢力に抗して前記第一の弁体が前記第一の飲料流路を開き、前記レバーを第二の方向に傾動させることで前記第二の付勢手段の付勢力に抗して前記第二の弁体が第二の飲料流路の開閉を開くことを特徴とする請求項１〜３のいずれかに記載の飲料サーバ用の抽出栓。
【請求項５】
前記第二の弁体が前記収容室に嵌入され、前記レバーと一体になって前記収容室内で進退移動自在であるとともに、前記第一の付勢手段が前記第二の弁体を閉じる方向に付勢することを特徴とする請求項４に記載の飲料サーバ用の抽出栓。
【請求項６】
前記付勢手段の付勢力を調整可能としたことを特徴とする請求項１に記載の飲料サーバ用の抽出栓。
【発明の詳細な説明】
【技術分野】
【０００１】
本発明は、ビールやジュース、飲料水等の飲料を貯蔵するタンクからコップ等に容器に前記飲料を抽出する飲料サーバ用の抽出栓に関し、特に、小型で携行性に優れ、バスや列車、船舶、航空機等の乗り物や宴会場、キャンプ場等の会場に持ち込んで利用することが容易な飲料サーバに適した抽出栓の改良に関する。
【背景技術】
【０００２】
この種の抽出栓としては、市販の種々の飲料サーバに採用されている抽出栓の他、例えば特許文献１，２，３に記載の抽出栓が知られている。
これら従来の抽出栓は、主として飲食店において複数の客の同時注文に同時に応えるべく、開栓状態が維持できる構造となっており、利用者がコックを操作して抽出作業を開始させ、抽出作業が終了した後は、利用者がコックを逆向きに操作して閉栓作業を行うようにしている。
【０００３】
本願出願人は、小型で携行性に優れ、バスや列車、船舶、航空機等の乗り物や宴会場、キャンプ場等の会場に持ち込んで利用することが容易な飲料サーバを開発し、特願２０１０−３９８５６号として特許出願しているが、このような小型の飲料サーバの利用者においては、上記のような操作は非常に煩わしいものとなり、かつ、操作に慣れていないこともあって、閉栓操作を行わずに、あるいは、閉栓操作を十分に行わずにコップを抽出口から外してしまって、周囲に飲料が飛散するという不都合が生じやすい。
【０００４】
このような問題を解決するには、電磁弁のような駆動体を使って行う方法や、閉栓方向に付勢するばね等の付勢手段を設ける方法（例えば特許文献４参照）が知られているが、前者は構成が複雑になって重量が増加するうえ、電磁弁を駆動させるための電源が必要となり、本願出願人が特願２０１０−３９８５６号で提案したような携行用の飲料サーバには不向きである。
【０００５】
後者の抽出栓は、このような欠点はないものの、飲料の流路内に弁とともにレバーを押し戻すためのバネが組み込まれていることから、バネと飲料とが常に接触することになり、衛生上の問題があるほか、バネが折損等したときに異物が飲料に混入するという問題がある。
また、既存の抽出栓に改良を施すだけでは実施が困難で、抽出栓の全部を交換する必要があるという問題がある。
さらに、バネの交換や点検も、抽出栓の全体をサーバから取り外して行う必要があり、タンクを空にしなければこの作業を行うことができないという問題がある。
【先行技術文献】
【特許文献】
【０００６】
【特許文献１】特開２００１−１９２０９８号公報
【特許文献２】特開２０００−３１８７９９号公報
【特許文献３】特開平９−２５９０号公報
【特許文献４】特開２００２−２１１６９２号公報
【発明の開示】
【発明が解決しようとする課題】
【０００７】
本発明は上記の課題を一挙に解決すべくなされたもので、飲料とバネ（付勢手段）とが接触せず、既存の抽出栓に改良を施すだけで簡単に改良がすることが可能で、バネの交換や点検も抽出栓の全体をサーバから取り外す必要なく、かつ、タンクを空にする必要なく行うことのできる飲料サーバ用の抽出栓の提供を目的とする。
【課題を解決するための手段】
【０００８】
上記課題を解決するために請求項１に記載の飲料サーバ用の抽出栓は、飲料流路が形成された抽出栓本体と、この抽出栓本体に傾動自在に設けられたレバーと、このレバーの傾動操作によって進退移動して飲料流路の開閉を行う弁体と、前記飲料流路を流れる前記飲料を抽出する抽出ノズルとを有する飲料サーバ用の抽出栓において、前記弁体とともに前記抽出栓本体内で進退移動するとともに、前記レバーと係合して前記レバーの傾動操作によって進退移動する弁棒と、この弁棒の内部の前記レバーと前記弁棒との間に設けられ、前記レバーに付勢力を付与する第一の付勢手段と、前記ノズルよりも前記本体の一端側に設けられ、前記弁棒を前記第一の付勢手段と逆向きに付勢する第二の付勢手段とを有する構成としてある。
【０００９】
請求項２に記載するように、前記弁棒の内部に前記付勢手段の収容部を形成し、この収容部で前記レバーの先端と前記弁棒が係合するとともに、前記収容部の内部で前記付勢手段が前記弁棒から前記レバーに付勢力を付与するように構成してもよい。また、請求項３に記載するように、前記第二の付勢手段は前記本体の外側に配置され、前記第二の付勢手段を支持する支持部材が前記弁棒の一端に取り付けられて、前記弁棒とともに進退移動するように構成してもよい。
【００１０】
本発明では、飲料を供給するノズルは二つあってもよく、例えば請求項４に記載するように、前記弁棒と前記抽出栓本体の内周面との間に設けられ第一の飲料を流す第一の飲料流路と、前記弁棒に貫通形成され第二の飲料を流す第二の飲料流路と、前記弁棒の先端に設けられ前記第一の飲料流路の開閉を行う第一の弁体と、前記弁棒の内部に設けられ前記第二の飲料流路の開閉を行う第二の弁体とを有し、前記レバーを第一の方向に傾動させることで前記第一の付勢手段の付勢力に抗して前記第一の弁体が前記第一の飲料流路を開き、前記レバーを第二の方向に傾動させることで前記第二の付勢手段の付勢力に抗して前記第二の弁体が第二の飲料流路を開くように構成してもよい。
【００１１】
この場合、請求項５に記載するように、前記第二の弁体が前記収容室に嵌入され、前記レバーと一体になって前記収容室内で進退移動自在であるとともに、前記第一の付勢手段が前記第二の弁体を閉じる方向に付勢するように構成するとよい。
また、請求項６に記載するように、前記付勢手段の付勢力を調整可能としてもよい。
【発明の効果】
【００１２】
本発明の抽出栓によれば、飲料と付勢手段とが接触しないように構成できるので、衛生的であり、かつ、付勢手段が折損等した際に異物が飲料に混合するという不都合を防止できる。
また、バネ等の付勢手段の交換や点検も抽出栓の全体をサーバから取り外すことなく、かつ、タンクを空にすることなく、抽出栓の一端のキャップを取り外すだけで簡単に行うことができる。
【発明を実施するための最良の形態】
【００１３】
本発明の抽出栓の好適な実施形態を、図面を参照しながら詳細に説明する。
図１は、本発明の抽出栓の一実施形態にかかり、その構成を説明する断面図である。
この抽出栓は、ビールや発泡酒等の飲料サーバに用いられるもので、飲料を抽出する第一のノズル２０と、泡を抽出する第二のノズル２１とを備えている。
抽出栓１は、図示しない飲料サーバの飲料供給口に取り付けられる本体１０と、この本体１０に回動自在に取り付けられたレバー２２と、本体１０に形成された前記の第一及び第二のノズル２０，２１とを有している。
【００１４】
本体１０には一端から他端まで貫通する貫通孔１０ａが形成されていて、この貫通孔１０ａに弁棒１２を一体に備える第一の弁体１１が進退移動自在に挿入されている。貫通孔１０ａの一方の開口１０ｃは大径孔として形成されていて、この大径孔の底部に形成された段付状の部分が、弁体１１と当接する弁座１０ｂとして形成されている。
【００１５】
弁棒１２は、弁体１１側の前方部分（図の右側部分）が貫通孔１０ａよりも小径に形成されていて、弁棒１２と貫通孔１０ａの内周面との間の隙間が飲料流路として形成されている。この飲料流路は、第一のノズル２０に連通していて、弁体１１を一方（図の左方）に移動させることで弁体１１が弁座１０ｂから離れると、飲料サーバのタンク内の飲料が、前記飲料流路を通って第一のノズル２０に流れるようになっている。
【００１６】
弁棒１２の後方部分（図の左側部分）は、貫通孔１０ａの内径と同一の外径を有していて、図示しないＯリング等の封止部材により、飲料が後方側へ漏出しないようにしている。
また、弁棒１２の後方部分には、後端側からレバー２２の真下位置まで有底の孔１２ａが形成されている。孔１２ａの底部近傍には、レバー２２の係合部２２ｂを嵌め込む穴が弁棒１２の外周面から貫通形成されていて、この穴を挿通したレバー２２の係合部２２ｂと弁棒１２とが係合することで、レバー２２の回動動作にともなって、弁棒１２が貫通孔１０ａ内で進退移動する。
【００１７】
弁棒１２の後端（図の左端）には、本体１０の外側から開口１０ｄにキャップ１６が嵌め込まれている。このキャップ１６はボルト状に形成され、一部が螺旋孔として形成された弁棒１２の孔１２ａに螺入されることで、弁棒１２とキャップ１６とが一体に取り付けられる。キャップ１６の一端は、開口１０ｄよりも大径の鍔部として形成されていて、この鍔部と本体１０の前端面との間にコイルバネ１７（以下、バネ１７と記載する）が嵌装されている。なお、図示するようにキャップ１６は本体１０の後端に取り付けたカバー１８で覆うようにしてもよい。
この態様により、弁棒１２は常時弁体１１を弁座１０ｂに押し付ける方向に付勢されるとともに、レバー２２は、後傾位置から中立位置に復帰する方向に付勢される。
【００１８】
孔１２ａ内には、コイルバネ１５（以下、バネ１５と記載する）が嵌装され、その一端はキャップ１６に当接し、他端は孔１２ａ内に挿入されたバネ受け１４を介してレバー２２の係合部２２ｂに当接している。
従って、レバー２２は、バネ１５によって前傾位置から中立位置に復帰する方向に付勢される。
なお、バネ１５及びバネ１７の付勢力は、ワッシャ等を孔１２ａの中に入れたり、本体１０とバネ１７との間に介在させることで調整が可能であるが、この実施形態のようにボルト状のキャップ１６においては、キャップ１６の螺入長さを変化させることで、バネ１５及びバネ１７の付勢力の調整が可能である。
【００１９】
前記したように、この実施形態の抽出栓１は、ビールの泡を抽出する第二のノズル２１を備えている。
以下、第二のノズル２１を通して泡を抽出するための構成について説明する。
弁体１１及び弁棒１２には、弁棒１２の後方に形成された孔１２の底部まで貫通する貫通孔１１ａが形成されている。この貫通孔１１ａが泡の流路となる。
貫通孔１１ａの後端は孔１２の底部で孔１２に嵌装された弁体１３によって閉じられている。また、弁棒１２の外周面から孔１２ａまで連通孔１２ｂが貫通形成され、この連通孔１２ｂと第二のノズル２１とが連通しているとともに、この連通孔１２ｂは孔１２ａの底部に位置する弁体１３によって閉じられている。
【００２０】
弁体１３は、レバー２２の一端の係合部２２ｂと係合部１３ａを介して係合していて、レバー２２の操作にともなう係合部２２ｂの進退移動とともに孔１２ａ内で進退移動する。なお、弁体１３は、レバー２２の後傾操作により係合部２２ｂが前進すると、孔１２ａの底部に押し付けられた状態、つまり、貫通孔１１ａ及び連通孔１２ｂを閉じた状態で弁棒１２とともに前進移動するが、レバー２２の前傾操作により係合部２２ｂが後退すると、孔１２ａの底部から後退して貫通孔１１ａ及び連通孔１２ｂを開口させる。
これにより、貫通孔１１ａから連通孔１２ｂを通って泡が第二のノズル２２に流れる。
【００２１】
次に、図１，図２及び図３を参照しつつ、上記構成の抽出栓１の作用について説明する。
図２は、レバー２２を後傾させて第一のノズル２０からビールを抽出する状態を、図３は、レバー２２を前傾させて第二のノズル２１から泡を抽出する状態を示している。
【００２２】
図２に示すように、利用者がレバー２２を握って後傾させると、支点２２ａを中心に係合部２２ｂが前進し、弁棒１２及び弁体１１を前進させる。これにより、弁体１１が弁座１０ｂから離れてビールが貫通孔１０ａから第一のノズル２０に流れる。
なお、このとき、係合部２２ｂは弁体１３を孔１２ａの底部に押し付けているので、泡が弁棒１２の貫通孔１１ａから第二のノズル２１に流れることはない。
弁棒１２及び弁体１１が前進すると、弁棒１２に一体に取り付けられたキャップ１６も前進するので、これによってバネ１７が圧縮され、弁棒１２及び弁体１１を後退方向に付勢するとともに、レバー２２を中立位置に復帰させる方向に付勢する。
これにより、利用者がレバー２２を離すと、レバー２２が中立位置に復帰するとともに弁体１１が弁座１０ｂに当接してビールの供給を停止させる。
【００２３】
次に、図３に示すように、利用者がレバー２２を握って前傾させると、支点２２ａを中心に係合部２２ｂが後退する。弁体１１が弁座１０ｂに当接しているため、弁棒１２及び弁体１１は移動しないが、係合部２２ｂとともに弁体１３が後退し、孔１２ａ内のばね１５を圧縮させる。
これにより、弁体１３が弁棒１２の孔１２ａの底部から離れて貫通孔１１ａが開き、泡が貫通孔１１ａから第二のノズル２１に流れる。
なお、このとき、弁体１１は弁座１０ｂに押し付けられているので、ビールが第一のノズル２０に流れることはない。
ばね１５が圧縮されると、レバー２２を中立位置に復帰させる方向に付勢力が作用し、これにより、利用者がレバー２２を離すと、レバー２２が中立位置に復帰するとともに弁体１３が孔１２ａの底部に押し付けられて泡の供給を停止させる。
【００２４】
この実施形態の抽出栓１においてバネ１５又はバネ１７が折損等した場合には、レバー２２を中立位置にした状態でボルト状のキャップ１６を本体１０から取り外しせばよい。
この場合、サーバのタンクの飲料を抜かなくても、弁体１１は飲料の圧力によって閉状態が保たれるので、飲料がノズル２０から漏れ出るということがない。また、弁体１３も、貫通孔１１ａの径が小さく係合部２２ｂに付与される押圧力も小さいことから、レバー２２が中立位置から傾動することなく、弁体１３も閉じた状態で維持されて、飲料がノズル２１から漏れ出ることがない。
このように、本発明の抽出栓１は、サーバのタンクに飲料が残っていても、簡単に修理、点検、部品の交換が可能である。
【００２５】
本発明の好適な実施形態について説明したが、本発明は上記の説明により限定されるものではない。
例えば、上記の説明では、レバー２２の操作方向を変えることでビールとその泡を抽出できるようにしているが、異なる飲料が抽出されるようにしてもよい。
また、上記の説明では二つのノズル２０．２１を有する場合について説明したが、一方のノズルのみを有する場合でも本発明の適用は可能である。
さらに、付勢手段としてコイルバネ１５，１７を例に挙げたが、レバー２２を中立位置に復帰させる方向に付勢力を生じさせるものであれば、バネに限らずゴムやエアダンパー等を利用することも可能である。
【産業上の利用可能性】
【００２６】
本発明の抽出栓は、ビールやジュース、茶、飲料水等の飲料サーバに適用が可能であるが、バスや列車等の乗り物や、キャンプ場、宴会場に持ち込みが可能な携行用の小型の飲料サーバに特に好適に適用が可能である。
【図面の簡単な説明】
【００２７】
【図１】本発明の抽出栓の一実施形態にかかり、その構成を説明する断面図である。
【図２】図１の抽出栓のレバーを後傾させてビールを抽出するときの状態を説明する断面図である。
【図３】図１の抽出栓のレバーを前傾させて泡を抽出するときの状態を説明する断面図である。
【符号の説明】
【００２８】
１：抽出栓
１０：本体
１０ａ貫通孔
１０ｂ：弁座
１０ｃ：開口
１０ｄ：開口
１１：弁体
１１ａ：貫通孔
１２：弁棒
１２ａ：孔
１２ｂ：連通孔
１３：弁体
１３ａ：係合部
１４：ばね受け
１５：第一のばね
１６：キャップ
１７：第二のばね
１８：カバー
２０：第一のノズル
２１：第二のノズル
２２：レバー
２２ａ：回動支点
２２ｂ：係合部
【図１】
2013189206.tif 000003
【図２】
2013189206.tif 000004
【図３】
2013189206.tif 000005